(57)【要約】【課題】セキュリティ性を向上させ得る光学的情報読取装置およびセキュリティシステムを提供する。【解決手段】筐体１１には、判定用順序情報を暗号化してコード化した開封用情報コードＱが表示されている。また、メモリ２３には、筐体１１に表示される開封用情報コードＱの判定用順序情報が予め記憶されている。そして、各導通部５１〜５６および締結状態検知回路２５により検出される各ねじ４１〜４６の取り外し順序が、メモリ２３に記憶される判定用順序情報に対応する取り外し順序（開封用順序）に一致しないとされると、メモリ２３に記憶される読取情報が、消去用制御回路２６により消去される。【選択図】図１
2013109605.tif 000002
【特許請求の範囲】
【請求項１】
情報コードを光学的に読み取る読取手段と、
前記読取手段により読み取られた読取情報を記憶する記憶手段と、
第１ケースおよび第２ケースを有し両ケースが複数の締結部材による締結により組み付けられて前記記憶手段を収容する筐体と、
を備える光学的情報読取装置であって、
前記筐体には、前記各締結部材の取り外し順序が当該筐体の不正開封か否かを判定するための判定用順序情報を、暗号化してコード化した開封用情報コードが表示され、
前記記憶手段には、前記筐体に表示される前記開封用情報コードの前記判定用順序情報が予め記憶され、
前記各締結部材の締結状態を検出可能な検出手段と、
前記検出手段により検出される前記各締結部材の取り外し順序が、前記記憶手段に記憶される前記判定用順序情報に対応する取り外し順序に一致するか否かを判定する判定手段と、
前記判定手段による前記取り外し順序が前記判定用順序情報に対応する取り外し順序に一致しないとの判定に応じて、前記記憶手段に記憶される前記読取情報の少なくとも一部を外部から取得不能に制御する制御手段と、
を備えることを特徴とする光学的情報読取装置。
【請求項２】
前記制御手段は、前記読取情報の少なくとも一部を消去することで外部から取得不能に制御することを特徴とする請求項１に記載の光学的情報読取装置。
【請求項３】
前記判定手段による前記取り外し順序が前記判定用順序情報に対応する取り外し順序に一致しないとの判定に応じて、正常開封でない旨を開封者に報知する報知手段を備えることを特徴とする請求項１または２に記載の光学的情報読取装置。
【請求項４】
前記制御手段は、前記報知手段による報知回数が所定回数以上になる場合に、前記読取情報の少なくとも一部を外部から取得不能に制御することを特徴とする請求項３に記載の光学的情報読取装置。
【請求項５】
前記判定手段による前記取り外し順序が前記判定用順序情報に対応する取り外し順序に一致しないとの判定に応じて、周囲に警報を発する警報手段を備えることを特徴とする請求項１〜４のいずれか一項に記載の光学的情報読取装置。
【請求項６】
請求項１〜５のいずれか一項に記載の光学的情報読取装置と、
前記開封用情報コードを光学的に読み取り、前記暗号化された判定用順序情報を解読して取得する解読装置と、
を備えることを特徴とするセキュリティシステム。
【請求項７】
前記開封用情報コードは、当該開封用情報コードが前記筐体に表示された前記光学的情報読取装置を特定する特定情報をコード化するとともに、連続番号がそれぞれに付与される複数の前記判定用順序情報を暗号化してコード化することで構成され、
前記解読装置では、前記開封用情報コードを読み取った回数が前記特定情報ごとに読取回数として記憶されるとともに、前記開封用情報コードが光学的に読み取られると、この開封用情報コードから解読される前記複数の判定用順序情報のうち当該開封用情報コードの前記読取回数に一致する前記連続番号の判定用順序情報が取得され、
前記記憶手段には、前記開封用情報コードから解読される前記複数の判定用順序情報が前記連続番号とともに記憶されるとともに、前記筐体の開封回数が記憶され、
前記判定手段は、前記検出手段により検出される前記各締結部材の取り外し順序が、前記記憶手段に記憶される複数の前記判定用順序情報のうち前記記憶手段に記憶される前記開封回数に一致する前記連続番号の判定用順序情報に対応する取り外し順序に一致するか否かを判定することを特徴とする請求項６に記載のセキュリティシステム。
【請求項８】
前記開封用情報コードは、複数の前記判定用順序情報として少なくとも第１の判定用順序情報および第２の判定用順序情報を暗号化してコード化することで構成され、
前記解読装置は、
前記第１の判定用順序情報を解読可能であれば、前記開封用情報コードを読み取ることで前記第１の判定用順序情報を取得し、
前記第２の判定用順序情報を解読可能であれば、前記開封用情報コードを読み取ることで前記第２の判定用順序情報を取得し、
前記記憶手段には、前記第１の判定用順序情報および前記第２の判定用順序情報が予め記憶されるとともに、前記読取情報として第１読取情報および第２読取情報が記憶され、
前記制御手段は、
前記判定手段により前記取り外し順序が前記第１の判定用順序情報に対応する取り外し順序に一致すると判定される場合には、前記記憶手段に記憶される前記読取情報を外部から取得不能に制御せず、
前記判定手段により前記取り外し順序が前記第２の判定用順序情報に対応する取り外し順序に一致するとの判定に応じて、前記記憶手段に記憶される前記第１読取情報を外部から取得不能に制御し、
前記判定手段により前記取り外し順序が前記第１の判定用順序情報および前記第２の判定用順序情報のいずれかに対応する取り外し順序に一致しないとの判定に応じて、前記記憶手段に記憶される前記第１読取情報および前記第２読取情報を外部から取得不能に制御することを特徴とする請求項６に記載のセキュリティシステム。
【発明の詳細な説明】
【技術分野】
【０００１】
本発明は、読取情報の不正利用を防止し得る機能を有する光学的情報読取装置およびセキュリティシステムに関するものである。
【背景技術】
【０００２】
光学的情報読取装置では、ユーザ情報や商品情報などの機密情報が取り扱われるため、当該装置が不正に開封された場合でも機密情報の漏洩を防止する必要がある。この対策として、装置の開封を検知した時にメモリに記憶される機密情報等を消去するなどのセキュリティ対策が実施される。一方、製品のメンテナンスのためには筐体の開封が必要であり、この開封時には上記セキュリティ対策を実施しないようにする必要がある。
【０００３】
そのため、読取情報の不正利用を防止し得る機能を有する光学的情報読取装置として、下記特許文献１に示す光学的情報読取装置が知られている。この光学的情報読取装置では、筐体に締結される各ねじの締結状態を検出するとともに、検出される各ねじの取り外し順序が判定用順序に一致するか否かについて判定される。この判定用順序は、主制御回路への電力供給開始に応じてランダムに変更され、開封用情報コードが読み取られる場合に限り所定の開封用順序に変更される。そして、各ねじの取り外し順序が上記判定用順序に一致しないとの判定、すなわち、開封用情報コードが読み取られていない状態であることから筐体の不正開封であるとの判定に応じて、メモリの読取情報が消去される。
【０００４】
これにより、判定用順序を知らない不正開封者による読取情報の不正使用を防止している。すなわち、不正開封者が開封用情報コードを不正に取得した場合でも、上記所定の開封用順序をも取得しなければ、読取情報を消去させることなく筐体を開封することは不可能であり、不正開封者が上記所定の開封用順序を不正に取得した場合でも、開封用情報コードをも取得しなければ、読取情報を消去させることなく筐体を開封することは不可能である。
【先行技術文献】
【特許文献】
【０００５】
【特許文献１】特開２０１０−１１８０４１号公報
【発明の概要】
【発明が解決しようとする課題】
【０００６】
しかしながら、上記特許文献１に開示される光学的情報読取装置の構成では、開封用情報コードとこの開封用情報コードに対応する所定の開封用順序が紛失・流出しないようにそれぞれ管理する必要がある。さらに、量産性の高い光学的情報読取装置について、開封用順序を個別に設定しようとすると、膨大な種類の開封用情報コードと開封用順序とを用意する必要があり、製品管理に関する安全性・作業性が悪くなる場合がある。さらに、膨大な種類の開封用情報コードを管理しなければならず、情報漏洩の可能性が高くなることが想定される。特に、近年の光学的情報読取装置が使用される状況では、取り扱う機密情報が多種多様となりやすく、機密情報の漏洩を防止に関してより一層のセキュリティ性の向上が望まれる。
【０００７】
本発明は、上述した課題を解決するためになされたものであり、その目的とするところは、セキュリティ性を向上させ得る光学的情報読取装置およびセキュリティシステムを提供することにある。
【課題を解決するための手段】
【０００８】
上記目的を達成するため、請求項１に記載の発明は、情報コードを光学的に読み取る読取手段（２１，２２）と、前記読取手段により読み取られた読取情報を記憶する記憶手段（２３）と、第１ケース（１２）および第２ケース（１３）を有し両ケースが複数の締結部材（４１〜４６）による締結により組み付けられて前記記憶手段を収容する筐体（１１）と、を備える光学的情報読取装置（１０）であって、前記筐体には、前記各締結部材の取り外し順序が当該筐体の不正開封か否かを判定するための判定用順序情報を、暗号化してコード化した開封用情報コード（Ｑ）が表示され、前記記憶手段には、前記筐体に表示される前記開封用情報コードの前記判定用順序情報が予め記憶され、前記各締結部材の締結状態を検出可能な検出手段（２５，５１〜５６）と、前記検出手段により検出される前記各締結部材の取り外し順序が、前記記憶手段に記憶される前記判定用順序情報に対応する取り外し順序に一致するか否かを判定する判定手段（２１）と、前記判定手段による前記取り外し順序が前記判定用順序情報に対応する取り外し順序に一致しないとの判定に応じて、前記記憶手段に記憶される前記読取情報の少なくとも一部を外部から取得不能に制御する制御手段（２１，２６）と、を備えることを特徴とする。
【０００９】
請求項２に記載の発明は、請求項１に記載の光学的情報読取装置において、前記制御手段は、前記読取情報の少なくとも一部を消去することで外部から取得不能に制御することを特徴とする。
【００１０】
請求項３に記載の発明は、請求項１または２に記載の光学的情報読取装置において、前記判定手段による前記取り外し順序が前記判定用順序情報に対応する取り外し順序に一致しないとの判定に応じて、正常開封でない旨を開封者に報知する報知手段（２４，２７）を備えることを特徴とする。
【００１１】
請求項４に記載の発明は、請求項３に記載の光学的情報読取装置において、前記制御手段は、前記報知手段による報知回数（Ｎａ）が所定回数（Ｎｔ）以上になる場合に、前記読取情報の少なくとも一部を外部から取得不能に制御することを特徴とする。
【００１２】
請求項５に記載の発明は、請求項１〜４のいずれか一項に記載の光学的情報読取装置において、前記判定手段による前記取り外し順序が前記判定用順序情報に対応する取り外し順序に一致しないとの判定に応じて、周囲に警報を発する警報手段（２７）を備えることを特徴とする。
【００１３】
請求項６に記載の発明は、請求項１〜５のいずれか一項に記載の光学的情報読取装置（１０）と、前記開封用情報コードを光学的に読み取り、前記暗号化された判定用順序情報を解読して取得する解読装置（２）と、を備えることを特徴とする。
【００１４】
請求項７に記載の発明は、請求項６に記載のセキュリティシステムにおいて、前記開封用情報コードは、当該開封用情報コードが前記筐体に表示された前記光学的情報読取装置を特定する特定情報をコード化するとともに、連続番号（Ｎｋ）がそれぞれに付与される複数の前記判定用順序情報を暗号化してコード化することで構成され、前記解読装置では、前記開封用情報コードを読み取った回数が前記特定情報ごとに読取回数（Ｎｂ）として記憶されるとともに、前記開封用情報コードが光学的に読み取られると、この開封用情報コードから解読される前記複数の判定用順序情報のうち当該開封用情報コードの前記読取回数に一致する前記連続番号の判定用順序情報が取得され、前記記憶手段には、前記開封用情報コードから解読される前記複数の判定用順序情報が前記連続番号とともに記憶されるとともに、前記筐体の開封回数（Ｎｃ）が記憶され、前記判定手段は、前記検出手段により検出される前記各締結部材の取り外し順序が、前記記憶手段に記憶される複数の前記判定用順序情報のうち前記記憶手段に記憶される前記開封回数に一致する前記連続番号の判定用順序情報に対応する取り外し順序に一致するか否かを判定することを特徴とする。
【００１５】
請求項８に記載の発明は、請求項６に記載のセキュリティシステムにおいて、前記開封用情報コードは、複数の前記判定用順序情報として少なくとも第１の判定用順序情報および第２の判定用順序情報を暗号化してコード化することで構成され、前記解読装置は、前記第１の判定用順序情報を解読可能であれば、前記開封用情報コードを読み取ることで前記第１の判定用順序情報を取得し、前記第２の判定用順序情報を解読可能であれば、前記開封用情報コードを読み取ることで前記第２の判定用順序情報を取得し、前記記憶手段には、前記第１の判定用順序情報および前記第２の判定用順序情報が予め記憶されるとともに、前記読取情報として第１読取情報および第２読取情報が記憶され、前記制御手段は、前記判定手段により前記取り外し順序が前記第１の判定用順序情報に対応する取り外し順序に一致すると判定される場合には、前記記憶手段に記憶される前記読取情報を外部から取得不能に制御せず、前記判定手段により前記取り外し順序が前記第２の判定用順序情報に対応する取り外し順序に一致するとの判定に応じて、前記記憶手段に記憶される前記第１読取情報を外部から取得不能に制御し、前記判定手段により前記取り外し順序が前記第１の判定用順序情報および前記第２の判定用順序情報のいずれかに対応する取り外し順序に一致しないとの判定に応じて、前記記憶手段に記憶される前記第１読取情報および前記第２読取情報を外部から取得不能に制御することを特徴とする。
なお、上記各括弧内の符号は、後述する実施形態に記載の具体的手段との対応関係を示すものである。
【発明の効果】
【００１６】
請求項１の発明では、筐体には、上記判定用順序情報を暗号化してコード化した開封用情報コードが表示されている。また、記憶手段には、筐体に表示される開封用情報コードの判定用順序情報が予め記憶されている。そして、検出手段により検出される各締結部材の取り外し順序が上記判定用順序情報に対応する取り外し順序に一致しないと判定手段により判定されると、記憶手段に記憶される読取情報の少なくとも一部が、制御手段により外部から取得不能に制御される。
【００１７】
読取情報が外部から取得不能に制御されることなく筐体を開封するためには、各締結部材の取り外し順序を上記判定用順序情報に対応する取り外し順序に一致させる必要がある。この判定用順序情報は、筐体に表示される開封用情報コードを解読して取得する必要があるため、開封用情報コードを解読する手段を有しない不正開封者は判定用順序情報を知ることができないので、記憶手段に記憶される読取情報の少なくとも一部が制御手段により外部から取得不能に制御されることなく筐体が開封（不正開封）されることを防止することができる。
したがって、不正開封者による読取情報の不正使用を防止して、当該光学的情報読取装置のセキュリティ性を向上させることができる。
【００１８】
請求項２の発明では、制御手段は、読取情報の少なくとも一部を消去することで、外部から取得不能に制御するので、不正開封者による読取情報の不正使用を確実に防止することができる。一方、正常開封者は、筐体に表示される開封用情報コードを解読して取得した判定用順序情報に対応する取り外し順序に従い各締結部材を取り外すことで、読取情報を消去させることなく筐体を開封することができる。
【００１９】
請求項３の発明では、報知手段は、判定手段による取り外し順序が上記判定用順序情報に対応する取り外し順序に一致しないとの判定に応じて、正常開封でない旨を開封者に報知する。これにより、開封者が、開封用情報コードの読み取りを忘れて各締結部材を取り外す場合や、開封用情報コードを読み取ったとしても読み取った判定用順序情報に対応する取り外し順序と異なる取り外し順序で誤って各締結部材を取り外す場合には、その旨が報知される。この報知を受けて、正常開封者が、例えば、所定のキー操作等の予め設定された解除処理を実施して再度上記判定用順序情報に対応する取り外し順序で各締結部材を取り外すことにより、正常開封者による誤った取り外し順序のために、読取情報が外部から取得不能に制御されることを回避することができる。
【００２０】
請求項４の発明では、制御手段は、報知手段による報知が所定回数を超える場合に、読取情報の少なくとも一部を外部から取得不能に制御する。例えば、不正開封者が上述した解除処理を知っていると、予め設定された判定用順序情報を知らなくても、各締結部材の取り外しと解除処理とを何回か繰り返すうちにこの判定用順序情報に対応する取り外し順序を探し当て、不正に筐体を開封してしまうおそれがある。そこで、このような不正開封者による読取情報の不正使用を防止するために、各締結部材の取り外しと解除処理とが繰り返し行われて判定手段による取り外し順序が判定用順序情報に対応する取り外し順序に一致しないとの判定が上記所定回数を超えてなされると、不正開封とみなされて、読取情報が外部から取得不能となる制御が回避されることなく実施される。
【００２１】
このため、不正開封者が上記判定用順序情報に対応する取り外し順序を探し当てることが難くなり、不正開封者による筐体の不正開封を防止でき、セキュリティ性をより向上させることができる。また、例えば正常開封者が、誤って判定用順序情報に対応する取り外し順序と異なる取り外し順序で締結部材を取り外す場合でも、判定手段による取り外し順序が判定用順序情報に対応する取り外し順序に一致しないとの判定が上記所定回数を超えてなされていなければ、読取情報が外部から取得不能に制御されることを回避することができる。
【００２２】
請求項５の発明では、警報手段は、判定手段による取り外し順序が判定用順序情報に対応する取り外し順序に一致しないとの判定に応じて周囲に警報を発する。これにより、不正開封者が筐体を不正開封する場合には、周囲に例えば警告音等で警報されるので、不正開封者による読取情報の不正使用を防止するだけでなく、不正開封者による不正開封行為を周囲に知らせることができる。
【００２３】
請求項６の発明では、セキュリティシステムは、請求項１〜５のいずれか一項に記載の光学的情報読取装置と、開封用情報コードを光学的に読み取り、暗号化された判定用順序情報を解読して取得する解読装置とを備えている。これにより、光学的情報読取装置の筐体に表示される開封用情報コードを解読装置にて読み取り解読することで取得された判定用順序情報に対応する取り外し順序で各締結部材を取り外すことで、読取情報を制御手段により外部から取得不能に制御することなく筐体を開封することができる。
したがって、不正開封者による読取情報の不正使用を防止して、光学的情報読取装置を管理するセキュリティシステムのセキュリティ性を向上させることができる。
【００２４】
請求項７の発明では、開封用情報コードは、当該開封用情報コードが筐体に表示された光学的情報読取装置を特定する特定情報をコード化するとともに、連続番号がそれぞれに付与される複数の判定用順序情報を暗号化してコード化することで構成される。また、解読装置では、上記読取回数が特定情報ごとに記憶されるとともに、開封用情報コードが光学的に読み取られると、この開封用情報コードから解読される複数の判定用順序情報のうち当該開封用情報コードの読取回数に一致する連続番号の判定用順序情報が取得される。また、記憶手段には、開封用情報コードから解読される複数の判定用順序情報が連続番号とともに記憶されるとともに、筐体の開封回数が記憶される。そして、判定手段は、各締結部材の取り外し順序が、記憶手段に記憶される複数の判定用順序情報のうち開封回数に一致する連続番号の判定用順序情報に対応する取り外し順序に一致するか否かを判定する。
【００２５】
これにより、解読装置により取得される判定用順序情報が読取回数に応じて変化するので、解読装置を用いて光学的情報読取装置の筐体を開封する作業者であっても判定用順序情報を知ることができないので、読取情報の不正使用を確実に防止することができる。
【００２６】
請求項８の発明では、開封用情報コードは、複数の判定用順序情報として少なくとも第１の判定用順序情報および第２の判定用順序情報を暗号化してコード化することで構成される。また、解読装置は、第１の判定用順序情報を解読可能であれば、開封用情報コードを読み取ることで第１の判定用順序情報を取得し、第２の判定用順序情報を解読可能であれば、開封用情報コードを読み取ることで第２の判定用順序情報を取得する。また、記憶手段には、第１の判定用順序情報および第２の判定用順序情報が予め記憶されるとともに、読取情報として第１読取情報および第２読取情報が記憶される。そして、制御手段は、判定手段により取り外し順序が第１の判定用順序情報に対応する取り外し順序に一致すると判定される場合には、記憶手段に記憶される読取情報を外部から取得不能に制御せず、判定手段により取り外し順序が第２の判定用順序情報に対応する取り外し順序に一致するとの判定に応じて、記憶手段に記憶される第１読取情報を外部から取得不能に制御し、判定手段により取り外し順序が第１の判定用順序情報および第２の判定用順序情報のいずれかに対応する取り外し順序に一致しないとの判定に応じて、記憶手段に記憶される第１読取情報および第２読取情報を外部から取得不能に制御する。
【００２７】
これにより、光学的情報読取装置にて読み取られる情報を管理する管理会社等では、第１の判定用順序情報を解読可能な解読装置を用いて光学的情報読取装置の筐体を開封することで、第１読取情報および第２読取情報の双方を制御手段により外部から取得不能に制御することなく筐体を開封することができる。また、上記管理会社等から光学的情報読取装置の修理を委託された修理会社等では、第２の判定用順序情報を解読可能な解読装置を用いて光学的情報読取装置の筐体を開封しても、第１読取情報が外部から取得不能に制御されることなり、第１読取情報の不正使用を確実に防止することができる。また、不正開封者では、そもそも解読装置を有しないので、第１読取情報および第２読取情報の双方が制御手段により外部から取得不能に制御されることなく筐体が不正開封されることを防止することができる。
【図面の簡単な説明】
【００２８】
【図１】第１実施形態に係るセキュリティシステムを概念的に説明する説明図である。
【図２】図１の光学的情報読取装置の構成概要を示す図であり、図２（Ａ）は背面図、図２（Ｂ）は一部断面で示す側面図である。
【図３】締結用貫通孔を挿通したねじが被締結部に締結される締結状態の導通部を示す説明図である。
【図４】光学的情報読取装置の不正開封対策処理に関する電気的構成を示すブロック図である。
【図５】解読装置の表示部に開封用順序が表示された状態を例示する説明図である。
【図６】第１実施形態における主制御回路による不正開封対策処理の流れを例示するフローチャートである。
【図７】第２実施形態における主制御回路による不正開封対策処理の流れを例示するフローチャートである。
【図８】第３実施形態において開封用情報コードを読み取ることにより取得される情報を示す説明図である。
【図９】第３実施形態における解読装置の主制御回路による判定用順序情報取得処理の流れを例示するフローチャートである。
【図１０】第３実施形態における光学的情報読取装置の主制御回路による不正開封対策処理の流れを例示するフローチャートである。
【図１１】第４実施形態において開封用情報コードを読み取ることにより取得される情報を示す説明図である。
【図１２】第４実施形態における光学的情報読取装置の主制御回路による不正開封対策処理の流れを例示するフローチャートである。
【発明を実施するための形態】
【００２９】
［第１実施形態］
以下、本発明の第１実施形態に係る光学的情報読取装置およびセキュリティシステムについて図を参照して説明する。図１は、第１実施形態に係るセキュリティシステム１を概念的に説明する説明図である。
図１に示すセキュリティシステム１は、バーコードなどの一次元コードや二次元コード等の情報コードを光学的に読み取り所定の情報を取得する１または２以上の光学的情報読取装置１０と、当該光学的情報読取装置１０の背面に貼付された開封用情報コードＱを光学的に読み取るための解読装置２とを備えている。
【００３０】
まず、光学的情報読取装置１０について図を参照して説明する。図２は、図１の光学的情報読取装置１０の構成概要を示す図であり、図２（Ａ）は背面図、図２（Ｂ）は一部断面で示す側面図である。図３は、締結用貫通孔１２ｃを挿通したねじ４１が被締結部１３ａに締結される締結状態の導通部５１を示す説明図である。図４は、光学的情報読取装置１０の不正開封対策処理に関する電気的構成を示すブロック図である。
【００３１】
図２（Ａ），（Ｂ）に示すように、光学的情報読取装置１０は、裏側ケース１２および表側ケース１３からなる筐体１１内に制御基板２０等の各種電気部品と、各種電気部品の電源として機能する電池３０とが収容されるように構成されている。この筐体１１内の電気的構成は、公知のコードリーダ（バーコードリーダ、二次元コードリーダ等）とほぼ同様の構成とすることができる。なお、電池３０は、例えば、リチウムイオン電池、ニッケル水素電池、ニッケルカドミウム電池等の充放電可能な二次電池や、マンガン乾電池、アルカリ乾電池等の一次電池によって構成されている。
【００３２】
表側ケース１３の内面側には、制御基板２０が固定されており、この制御基板２０の電池側端部には、コネクタ等を介して電池３０からの電力が供給されている。また、表側ケース１３の表面には、複数の操作キー１４が配置されており、各操作キー１４を操作することにより、この操作に応じた所定の情報が制御基板２０の主制御回路２１に入力される。
【００３３】
裏側ケース１２には、電池３０を収容可能な電池収容部１２ａが設けられており、当該電池収容部１２ａは、図２（Ｂ）に示すように、一方が箱状に開口するように形成されている。この電池収容部１２ａの開口部は、裏側ケース１２に対して着脱可能に形成された電池蓋１５によって閉塞され得る構成となっている。
【００３４】
裏側ケース１２および表側ケース１３は、裏側ケース１２に形成される６つの環状凹部１２ｂの締結用貫通孔１２ｃを挿通する金属製の６つのねじ４１〜４６により締結されて組み付けられることにより、筐体１１を構成する。なお、各ねじ４１〜４６は、特許請求の範囲における「締結部材」の一例に相当する。
【００３５】
各環状凹部１２ｂは同じ構成であるため、ねじ４１が締結される環状凹部１２ｂを代表して説明する。
図３に示すように、環状凹部１２ｂの底面にはねじ４１のねじ部が挿通する締結用貫通孔１２ｃが形成されている。また、環状凹部１２ｂの底面の所定の部位には導電性塗料が塗布されており、この塗布部位１２ｄと締結用貫通孔１２ｃを挿通して表側ケース１３の被締結部１３ａに締結されるねじ４１とにより所定の抵抗値（以下、締結時抵抗値Ｒともいう）を有する導通部５１が構成される。この導通部５１は、被締結部１３ａからねじ４１を取り外した非締結状態における抵抗値が締結状態における締結時抵抗値Ｒよりも大きくなるように構成されている。なお、ねじ４２〜４６が締結される各環状凹部１２ｂもそれぞれ上述のように導通部５２〜５６を有するように構成されている。
【００３６】
また、図２（Ａ）に示すように、裏側ケース１２の背面側には、開封用情報コードＱが貼付等により表示されている。この開封用情報コードＱは、各ねじ４１〜４６の取り外し順序が筐体１１の不正開封か否かを判定するための判定用順序情報を、所定の復号鍵により復号可能に暗号化してコード化したＱＲコード（登録商標）として構成されている。具体的には、開封用情報コードＱは、復号鍵を用いることなく情報を取得可能な公開領域と、復号鍵を用いることで暗号化された情報を復号して取得可能な非公開領域とを有するように構成されている。
【００３７】
そして、公開領域には、例えば、当該開封用情報コードＱが筐体１１に表示された光学的情報読取装置１０を特定する特定情報として機種ＩＤ情報が記録されている。また、非公開領域には、例えば、「ねじ４１→４４→４３→４５→４２→４６の順序で取り外す」判定用順序を特定するための判定用順序情報が記録されている。このため、解読装置２と異なる光学的情報読取装置で開封用情報コードＱを読み取っても、判定用順序情報が取得されずに機種ＩＤ情報が取得されるので、復号鍵を用いることで当該開封用情報コードＱから判定用順序情報を取得可能であることを秘匿できる。
【００３８】
次に、光学的情報読取装置１０の不正開封対策処理に関する電気的構成について、図４を用いて説明する。
図４に示すように、制御基板２０には、主に、主制御回路２１と、受光センサ２２と、個人情報等の所定の情報が記憶されるメモリ２３と、所定の情報を表示する表示部２４と、各ねじ４１〜４６の締結状態を検知可能な締結状態検知回路２５と、メモリ２３の情報を消去可能な消去用制御回路２６と、ブザー２７とが電気的に接続されるように配置されている。
【００３９】
主制御回路２１は、操作キー１４等の操作に応じて受光センサ２２から出力される受光信号に基づいて外部の情報を読み取りこの読取情報を制御してメモリ２３に記憶する情報処理に関する機能を有する。また、主制御回路２１は、筐体１１が不正開封されたか否かを検知するとともに不正開封時にはメモリ２３に記憶される読取情報の消去等の不正開封対策処理に関する機能を有する。なお、主制御回路２１は、特許請求の範囲における「読取手段、判定手段，制御手段」の一例に相当する。
【００４０】
また、メモリ２３は、半導体メモリ装置で、例えばＲＡＭ（ＤＲＡＭ、ＳＲＡＭ等）やＲＯＭ、不揮発性メモリ等がこれに相当し、外部から読み取った情報や機密情報などの情報が記憶される。このメモリ２３には、収容される筐体１１に貼付された開封用情報コードＱの非公開領域に記録される判定用順序情報と同じ情報が予め記憶されている。なお、メモリ２３は、特許請求の範囲における「記憶手段」の一例に相当する。
【００４１】
表示部２４は、例えば、液晶表示器などからなり、主制御回路２１によってその表示内容が制御されるように構成されている。なお、表示部２４は、特許請求の範囲における「報知手段」の一例に相当する。
【００４２】
締結状態検知回路２５は、各導通部５１〜５６の抵抗値をそれぞれ検知し、導通部５１〜５６のいずれかの抵抗値が締結時抵抗値Ｒより大きく設定される所定の閾値Ｒｔを超えると、対応するいずれかのねじ４１〜４６が被締結部１３ａから取り外された非締結状態であることを検知して、非締結状態検知信号Ｓ１〜Ｓ６のいずれかを主制御回路２１に出力する。例えば、ねじ４１が被締結部１３ａから取り外されると、非締結状態検知信号Ｓ１が主制御回路２１に出力されることとなる。なお、締結状態検知回路２５および各導通部５１〜５６は、特許請求の範囲における「検出手段」の一例に相当する。
【００４３】
消去用制御回路２６は、主制御回路２１から出力される消去信号に基づいて、メモリ２３に記憶される読取情報を消去する。なお、消去用制御回路２６は、特許請求の範囲における「制御手段」の一例に相当する。
【００４４】
ブザー２７は、ビープ音やアラーム音を発生可能に構成されており、主制御回路２１からの報知信号に応じて開封者が認識できる程度に鳴動するとともに、警告信号に応じて周囲に警告可能に鳴動する。なお、ブザー２７は、特許請求の範囲における「報知手段，警報手段」の一例に相当する。
【００４５】
次に、解読装置２について図を参照して説明する。図５は、解読装置２の表示部２４ａに開封用順序が表示された状態を例示する説明図である。
解読装置２は、通常の光学的情報読取装置とほぼ同じ構成であって、光学的情報読取装置１０の特徴的構成、例えば、締結状態検知回路２５および消去用制御回路２６や導通部５１〜５６等を除き、光学的情報読取装置１０と同等に構成されている。この解読装置２のメモリには、上述した復号鍵が、開封用情報コードＱを読み取ったときにその非公開領域の判定用順序情報を解読して取得可能に記憶されている。
【００４６】
このように構成される解読装置２は、開封用情報コードＱを読み取ることで判定用順序情報を取得すると、この判定用順序情報から得られる判定用順序をメモリ２３の情報を消去しないための取り外し順序（以下、開封用順序）として、図５に例示するように円内の数字を用いて、表示部２４ａに表示することができる。なお、解読装置２では、開封用順序を、図５に例示するように円内の数字を用いて表示部２４ａに表示することに限らず、例えば、単に各ねじ４１〜４６を示す数字とこの順序のみを、開封用順序として表示部２４ａに表示してもよい。
【００４７】
次に、光学的情報読取装置１０の主制御回路２１による不正開封対策処理について説明する。図６は、本第１実施形態における主制御回路２１による不正開封対策処理の流れを例示するフローチャートである。なお、以下の説明では、各ねじ４１〜４６が全て締結状態から説明する。
【００４８】
各ねじ４１〜４６のいずれかが取り外されることで、非締結状態検知信号Ｓ１〜Ｓ６のいずれかが主制御回路２１に入力されると、不正開封対策処理が開始され、図６のステップＳ１０１に示す判定処理にて、各ねじ４１〜４６の取り外し順序が、メモリ２３に予め記憶される判定用順序に一致するか否かについて判定される。
【００４９】
ここで、メンテナンス時など、当該光学的情報読取装置１０に関して正当な権限を有する開封者（以下、正常開封者という）は、裏側ケース１２の背面側に表示される開封用情報コードＱを解読装置２により読み取ることで、図５に例示するように、開封用順序を取得することができる。このため、このように取得した開封用順序に従い各ねじ４１〜４６を順次取り外すことで、ステップＳ１０１にてＹｅｓと判定されて、後述する消去処理等が実施されることなく、筐体１１を開封することができる。
【００５０】
一方、不正開封者であれば、解読装置２を所有していないため、一般の光学的情報読取装置を使用して開封用情報コードＱを読み取っても公開領域に記録される機種ＩＤ情報を取得するだけで、開封用順序を取得することができない。このように不正開封者は開封用順序を取得できないために、初めに外されたねじが判定用順序の１番目に設定されているねじに一致する確率は低く、仮に一致したとしても続いて外されたねじが判定用順序の２番目に設定されているねじに一致する確率はさらに低くなる。すなわち、不正開封者が６本のねじ４１〜４６を判定用順序に一致するように取り外すことは不可能であるから、ステップＳ１０１にてＮｏと判定されることとなる。
【００５１】
このようにステップＳ１０１にてＮｏと判定されると、ステップＳ１０３に示す報知処理がなされる。この処理では、報知信号がブザー２７に出力されて、ブザー２７が開封者が認識できる程度に鳴動する。これにより、不正開封と判定された旨がブザー２７の鳴動等により、開封者に報知される。なお、この報知処理では、ブザー２７の鳴動に代えてまたはブザー２７の鳴動とともに、表示部２４に不正開封と判定された旨を表示してもよい。
【００５２】
次に、ステップＳ１０５に示す判定処理にて、解除処理が実施されたか否かについて判定され、不正開封者であれば、解除処理を知らないことから、Ｎｏと判定されることとなる。そして、ステップＳ１０７に示す消去処理がなされて、消去信号が消去用制御回路２６に出力され、この消去用制御回路２６によりメモリ２３に記憶される全ての読取情報が消去される。これにより、不正開封者による読取情報の不正使用を防止することができる。
【００５３】
続いて、ステップＳ１０９に示す警報処理がなされて、警報信号がブザー２７に出力され、ブザー２７が周囲に警報を発するように鳴動する。これにより、不正開封者による読取情報の不正使用を防止するだけでなく、不正開封者による不正開封行為を周囲に知らせることができる。なお、ステップＳ１２３の処理を実行する主制御回路２１は、特許請求の範囲における「警報手段」の一例に相当する。
【００５４】
また、正常開封者が開封用情報コードＱの読み取りを忘れて各ねじ４１〜４６を取り外してしまう場合や、開封用情報コードＱを読み取っても誤って開封用順序と異なる取り外し順序で各ねじ４１〜４６を取り外してしまう場合でも、ステップＳ１０１にてＮｏと判定される。そして、ステップＳ１０３にて上述した報知処理がなされ、不正開封と判定された旨がブザー２７の鳴動等により、正常開封者に報知される。この報知を受けて、正常開封者が、所定の操作キー１４を操作する等の予め設定された所定の解除処理を実施することにより、ステップＳ１０５にてＹｅｓと判定されて、上述したステップＳ１０７以降の処理を実施することなく、ステップＳ１０１からの処理がなされる。このため、正常開封者による誤った各ねじ４１〜４６の取り外し作業により、読取情報の消去や警報処理が実施されることをなくすことができる。
【００５５】
以上説明したように、本第１実施形態に係る光学的情報読取装置１０では、筐体１１には、判定用順序情報を暗号化してコード化した開封用情報コードＱが表示されている。また、メモリ２３には、筐体１１に表示される開封用情報コードＱの判定用順序情報が予め記憶されている。そして、各導通部５１〜５６および締結状態検知回路２５により検出される各ねじ４１〜４６の取り外し順序が、メモリ２３に記憶される判定用順序情報に対応する取り外し順序（開封用順序）に一致しないと判定されると、メモリ２３に記憶される読取情報が、消去用制御回路２６により消去される。
【００５６】
メモリ２３の読取情報を消去することなく筐体１１を開封するためには、各ねじ４１〜４６の取り外し順序を上記判定用順序情報に対応する取り外し順序（開封用順序）に一致させる必要がある。この判定用順序情報は、筐体１１に表示される開封用情報コードＱを解読して取得する必要があるため、開封用情報コードＱを解読する解読装置２を有しない不正開封者は判定用順序情報を知ることができないので、メモリ２３に記憶される読取情報を消去させることなく筐体１１が開封（不正開封）されることを防止することができる。一方、正常開封者は、筐体１１に表示される開封用情報コードＱを解読装置２により解読して取得した判定用順序情報に対応する取り外し順序（開封用順序）に従い各ねじ４１〜４６を取り外すことで、メモリ２３の読取情報を消去させることなく筐体１１を開封することができる。
したがって、不正開封者による読取情報の不正使用を防止して、当該光学的情報読取装置１０のセキュリティ性を向上させることができる。
【００５７】
また、各ねじ４１〜４６の取り外し順序が上記判定用順序情報に対応する取り外し順序に一致しないとの判定に応じて、正常開封でない旨（不正開封と判定された旨）がブザー２７の鳴動または表示部２４の表示により開封者に報知される。これにより、開封者が、開封用情報コードＱの読み取りを忘れて各ねじ４１〜４６を取り外す場合や、開封用情報コードＱを読み取ったとしても読み取った判定用順序情報に対応する取り外し順序と異なる取り外し順序で誤って各ねじ４１〜４６を取り外す場合には、その旨が報知される。この報知を受けて、正常開封者が、所定の操作キー１４を操作する等の予め設定された解除処理を実施して再度上記判定用順序情報に対応する取り外し順序で各ねじ４１〜４６を取り外すことにより、正常開封者による誤った取り外し順序のために、メモリ２３の読取情報が消去されることを回避することができる。
【００５８】
さらに、各ねじ４１〜４６の取り外し順序が判定用順序情報に対応する取り外し順序に一致しないとの判定に応じて、ブザー２７が周囲に警報を発するように鳴動する。これにより、不正開封者が筐体１１を不正開封する場合には、周囲に警告音により警報されるので、不正開封者による読取情報の不正使用を防止するだけでなく、不正開封者による不正開封行為を周囲に知らせることができる。
【００５９】
また、本第１実施形態に係るセキュリティシステム１は、上述した光学的情報読取装置１０と、開封用情報コードＱを光学的に読み取り、暗号化された判定用順序情報を解読して取得する解読装置２とを備えている。これにより、光学的情報読取装置１０の筐体１１に表示される開封用情報コードＱを解読装置２にて読み取り解読することで取得された判定用順序情報に対応する取り外し順序で各ねじ４１〜４６を取り外すことで、メモリ２３の読取情報を消去することなく筐体１１を開封することができる。
したがって、不正開封者による読取情報の不正使用を防止して、光学的情報読取装置１０を管理するセキュリティシステム１のセキュリティ性を向上させることができる。
【００６０】
［第２実施形態］
次に、本第２実施形態に係る光学的情報読取装置１０およびセキュリティシステム１について、図７を参照して説明する。図７は、第２実施形態における主制御回路２１による不正開封対策処理の流れを例示するフローチャートである。
本第２実施形態では、上述したステップＳ１０１にて取り外し順序が判定用順序に一致しないと判定される回数が規定回数を超えてなされていると判定されると、ステップＳ１０５にて解除処理が実施されたか否かの判定がなされることなく、ステップＳ１０７にて読取情報の消去処理がなされる点が主に異なる。したがって、上述した第１実施形態の光学的情報読取装置１０と実質的に同一の構成部分には同一符号を付し、説明を省略する。
【００６１】
以下、本第２実施形態に係る主制御回路２１による不正開封対策処理について図７を用いて説明する。
ねじ４１〜４６のいずれか１つが取り外されて不正開封対策処理が開始され、取り外されたねじの順序が判定用順序に一致しない場合には（Ｓ１０１でＮｏ）、ステップＳ１０１に示す判定処理にてＮｏと判定される回数（取り外し順序が判定用順序に一致しないと判定される回数：以下、報知回数Ｎａという）が、ステップＳ１０２にてインクリメント（Ｎａ＝Ｎａ＋１）される。
【００６２】
次に、ステップＳ１０２ａに示す判定処理にて、報知回数Ｎａが規定回数Ｎｔ以上であるか否かについて判定される。ここで、規定回数Ｎｔは、予め設定される回数であって、本第２実施形態では、Ｎｔ＝２に設定されている。なお、この規定回数Ｎｔは、特許請求の範囲に記載の「所定回数」の一例に相当し、セキュリティ性に応じて適宜変更することができる。
【００６３】
そして、ステップＳ１０２ａにて報知回数Ｎａが規定回数Ｎｔ未満であると判定される場合には（Ｓ１０２ａでＮｏ）、正常開封者が誤って各ねじ４１〜４６を取り外したとみなし、上述したステップＳ１０３に示す報知処理がなされる。そして、正常開封者が、所定の解除処理を実施することで（Ｓ１０５でＹｅｓ）、上述したステップＳ１０７以降の処理が実施されることなくステップＳ１０１からの処理がなされる。
【００６４】
その後、取り外されたねじの順序が判定用順序に一致しないと再度判定されることで（Ｓ１０１でＮｏ）、ステップＳ１０２ａに示す判定処理にて、報知回数Ｎａが規定回数Ｎｔ以上であると判定される場合には（Ｓ１０２ａでＹｅｓ）、不正開封者が不正に各ねじ４１〜４６を取り外したとみなし、上述した報知処理およびその後の判定処理がなされることなく、上述した消去処理および警報処理がなされる。
【００６５】
以上説明したように、本第２実施形態に係る光学的情報読取装置１０では、上記報知処理による報知回数Ｎａが規定回数Ｎｔを超える場合に、読取情報が消去される。例えば、不正開封者が上述した解除処理を知っていると、予め設定された判定用順序情報を知らなくても、各ねじ４１〜４６の取り外しと解除処理とを何回か繰り返すうちにこの判定用順序情報に対応する取り外し順序を探し当て、不正に筐体１１を開封してしまうおそれがある。そこで、このような不正開封者による読取情報の不正使用を防止するために、各ねじ４１〜４６の取り外しと解除処理とが繰り返し行われて、取り外し順序が判定用順序情報に対応する取り外し順序に一致しないとの判定回数、すなわち報知回数Ｎａが、規定回数Ｎｔを超えてなされると、不正開封とみなされて、メモリ２３の読取情報の消去が回避されることなく実施される。
【００６６】
このため、不正開封者が上記判定用順序情報に対応する取り外し順序を探し当てることが難くなり、不正開封者による筐体１１の不正開封を防止でき、セキュリティ性をより向上させることができる。また、例えば正常開封者が、誤って判定用順序情報に対応する取り外し順序と異なる取り外し順序でねじ４１〜４６のいずれかを取り外す場合でも、報知回数Ｎａが規定回数Ｎｔを超えてなされていなければ、メモリ２３の読取情報が消去されることを回避することができる。
【００６７】
［第３実施形態］
次に、本第３実施形態に係る光学的情報読取装置１０およびセキュリティシステム１について、図８〜図１０を参照して説明する。図８は、第３実施形態において開封用情報コードＱを読み取ることにより取得される情報を示す説明図である。図９は、第３実施形態における解読装置２の主制御回路による判定用順序情報取得処理の流れを例示するフローチャートである。図１０は、第３実施形態における光学的情報読取装置１０の主制御回路２１による不正開封対策処理の流れを例示するフローチャートである。
【００６８】
本第３実施形態では、開封用情報コードＱの公開領域には機種ＩＤ情報が記録され、非公開領域には、開封番号として連続番号Ｎｋがそれぞれに付与される複数の判定用順序情報が記録されている。具体的には、図８に例示するように、非公開領域には、開封番号１が付された判定用順序情報として「１，４，３，５，２，６」が記憶されている。この判定用順序情報は、１番目の数字がねじ４１の開封順番を示し、以下、２〜６番目の数字がねじ４２〜４６のそれぞれの開封順番を示す。すなわち、開封番号１が付された判定用順序情報に対応する取り外し順序（開封用順序）は、「ねじ４１→４４→４３→４５→４２→４６」となる。また、非公開領域には、開封番号２が付された判定用順序情報「３，４，６，２，１，５」や開封番号３が付された判定用順序情報「６，１，３，４，２，５」などが記憶されている。
【００６９】
また、光学的情報読取装置１０のメモリ２３には、収容される筐体１１に貼付された開封用情報コードＱの非公開領域に記録される各判定用順序情報および開封番号と同じ情報が予め記憶されている。
【００７０】
次に、本第３実施形態において解読装置２にて実施される判定用順序情報取得処理について説明する。
本第３実施形態における解読装置２では、開封用情報コードＱが光学的に読み取られると、判定用順序情報取得処理が実施され、読み取った開封用情報コードＱから解読される複数の判定用順序情報のうち、当該開封用情報コードを読み取った回数（以下、読取回数Ｎｂという）に一致する開封番号の判定用順序情報が取得される。
【００７１】
この判定用順序情報取得処理について、図９に示すフローチャートを用いて詳細に説明する。
開封用情報コードＱが光学的に読み取られることで、判定用順序情報取得処理が開始されると、図９のステップＳ２０１に示す判定処理にて、読み取った開封用情報コードＱの公開領域に記録される機種ＩＤが初めて読み取った機種ＩＤであるか否かについて判定される。そして、読み取った機種ＩＤが初めて読み取った機種ＩＤである場合には（Ｓ２０１でＹｅｓ）、ステップＳ２０３にて当該機種ＩＤに対する読取回数ＮｂがＮｂ＝１に設定される。次に、ステップＳ２０９に示す読取回数記憶処理がなされ、上述のように設定された読取回数Ｎｂが対応する機種ＩＤに関連付けられてメモリに記憶される。
【００７２】
一方、読み取った機種ＩＤが初めて読み取った機種ＩＤでない場合には（Ｓ２０１でＮｏ）、ステップＳ２０５に示す読取回数読出処理がなされ、読み取った機種ＩＤに関連付けらて上記読取回数記憶処理にてメモリに記憶された読取回数Ｎｂが読み出される。そして、読み出された読取回数ＮｂがステップＳ２０７にてインクリメント（Ｎｂ＝Ｎｂ＋１）されると、上記読取回数記憶処理がなされ、このようにインクリメントされた読取回数Ｎｂが対応する機種ＩＤに関連付けられてメモリに記憶される。
【００７３】
ステップＳ２０３に示す処理またはステップＳ２０７に示す処理がなされて読取回数Ｎｂがメモリに記憶されると、ステップＳ２１１に示す判定用情報選択処理がなされる。この処理では、メモリに予め記憶されている複数の判定用順序情報のうち、読取回数Ｎｂに数字が一致する開封番号の判定用順序情報が選択される。例えば、読取回数Ｎｂ＝１であれば、開封番号１の判定用順序情報が選択され、読取回数Ｎｂ＝２であれば、開封番号２の判定用順序情報が選択されることとなる。すなわち、読取回数に応じて、判定用順序情報を変更することができる。
【００７４】
そして、ステップＳ２１１に示す判定用順序情報表示処理がなされ、上記判定用情報選択処理にて選択された判定用順序情報が、上述した図５に例示するように、表示部２４ａ開封用順序としてに表示される。
【００７５】
次に、本第３実施形態における光学的情報読取装置１０の不正開封対策処理について、図１０に示すフローチャートを用いて詳細に説明する。
本第３実施形態における光学的情報読取装置１０では、ねじ４１〜４６のいずれか１つが取り外されることで不正開封対策処理が開始されると、ステップＳ３０１に示す開封回数読出処理がなされる。この処理では、後述するように筐体１１が正常に開封されるごとにインクリメントされて記憶される開封回数Ｎｃがメモリ２３から読み出される。
【００７６】
続いて、ステップＳ３０３に示す判定用順序設定処理がなされ、メモリ２３に予め記憶されている複数の判定用順序情報のうち、上記開封回数読出処理にて読み出された開封回数Ｎｃに数字が一致する開封番号の判定用順序情報が選択されて設定される。例えば、開封回数Ｎｃ＝１であれば、開封番号１の判定用順序情報が選択されて設定され、開封回数Ｎｃ＝２であれば、開封番号２の判定用順序情報が選択されて設定される。
【００７７】
そして、取り外されたねじの順序が上記判定用順序設定処理にて設定された判定用順序に一致する場合には（Ｓ１０１でＹｅｓ）、正常開封であるとして、開封回数ＮｃがステップＳ３０５にてインクリメント（Ｎｃ＝Ｎｃ＋１）される。続いて、ステップＳ３０７に示す開封回数記憶処理にて、インクリメントされた開封回数Ｎｃがメモリ２３に上書きして記憶される。
【００７８】
一方、取り外されたねじの順序が上記判定用順序設定処理にて設定された判定用順序に一致しない場合には（Ｓ１０１でＮｏ）、上述したステップＳ１０３以降の処理がなされる。
【００７９】
以上説明したように、本第３実施形態に係る光学的情報読取装置１０では、開封用情報コードＱは、当該開封用情報コードＱが筐体１１に表示された光学的情報読取装置１０を特定する機種ＩＤ（特定情報）をコード化するとともに、連続番号Ｎｋがそれぞれに付与される複数の判定用順序情報を暗号化してコード化することで構成される。また、解読装置２では、読取回数Ｎｂが機種ＩＤごとに記憶されるとともに、開封用情報コードＱが光学的に読み取られると、この開封用情報コードＱから解読される複数の判定用順序情報のうち当該開封用情報コードの読取回数Ｎｂに一致する連続番号Ｎｋの判定用順序情報が取得される。また、光学的情報読取装置１０のメモリ２３には、開封用情報コードＱから解読される複数の判定用順序情報が連続番号とともに記憶されるとともに、筐体１１の開封回数Ｎｃが記憶される。そして、ステップＳ１０１に示す判定処理では、各ねじ４１〜４６の取り外し順序が、メモリ２３に記憶される複数の判定用順序情報のうち開封回数Ｎｃに一致する連続番号の判定用順序情報に対応する取り外し順序に一致するか否かを判定する。
【００８０】
これにより、解読装置２により取得される判定用順序情報が読取回数Ｎｂに応じて変化するので、解読装置２を用いて光学的情報読取装置１０の筐体１１を開封する作業者であっても判定用順序情報を容易に知ることができないので、読取情報の不正使用を確実に防止することができる。
【００８１】
［第４実施形態］
次に、本第４実施形態に係る光学的情報読取装置１０およびセキュリティシステム１について、図１１および図１２を参照して説明する。図１１は、第４実施形態において開封用情報コードＱを読み取ることにより取得される情報を示す説明図である。図１２は、第４実施形態における光学的情報読取装置１０の主制御回路２１による不正開封対策処理の流れを例示するフローチャートである。
【００８２】
本第４実施形態では、開封用情報コードＱの非公開領域は、第１の復号鍵を用いることで情報を復号して取得可能な第１非公開領域と、第２の復号鍵を用いることで情報を復号して取得可能な第２非公開領域と、から構成されている。そして、第１非公開領域には第１の判定用順序を特定するための第１の判定用順序情報が記録され、第２非公開領域には第２の判定用順序を特定するための第２の判定用順序情報が記録されている。具体的には、図１１に例示するように、第１非公開領域には、第１の判定用順序情報として「４，３，２，６，１，５」が記憶されており、第２非公開領域には、第２の判定用順序情報として「６，２，４，５，３，１」が記憶されている。
【００８３】
このため、解読装置２と異なる光学的情報読取装置で開封用情報コードＱを読み取る場合でも、第１の判定用順序情報および第２の判定用順序情報の取得を防止できる。また、第１の復号鍵がメモリに記憶された解読装置２を有する開封者は、開封用情報コードＱを読み取ることで第１の判定用順序情報を取得することができる。また、第２の復号鍵がメモリに記憶された解読装置２を有する開封者は、開封用情報コードＱを読み取ることで第２の判定用順序情報を取得することができる。
【００８４】
そして、光学的情報読取装置１０のメモリ２３には、上述した第１の判定用順序情報および第２の判定用順序情報が予め記憶されている。また、メモリ２３に記憶される読取情報は、比較的重要度が高い第１読取情報と比較的重要度が低い第２読取情報とに区分けされて記憶されている。
【００８５】
次に、本第４実施形態における光学的情報読取装置１０の不正開封対策処理について、図１２に示すフローチャートを用いて詳細に説明する。
ねじ４１〜４６のいずれか１つが取り外されて不正開封対策処理が開始され、取り外されたねじの順序が第１の判定用順序および第２の判定用順序のいずれにも一致しない場合には（Ｓ１０１でＮｏ）、上記ステップＳ１０３に示す報知処理以降の処理がなされ、解除処理が実施されない限り第１読取情報および第２読取情報が消去される。
【００８６】
一方、取り外されたねじの順序が第１の判定用順序および第２の判定用順序のいずれかに一致する場合には（Ｓ１０１でＹｅｓ）、ステップＳ４０１に示す判定処理にて、取り外されたねじの順序が第１の判定用順序に一致するか否かについて判定される。ここで、取り外されたねじの順序が第１の判定用順序に一致しない場合には（Ｓ４０１でＮｏ）、ステップＳ４０３に示す第１読取情報消去処理がなされ、メモリ２３に記憶される読取情報のうち第１読取情報が消去される。また、取り外されたねじの順序が第１の判定用順序に一致する場合には（Ｓ４０１でＹｅｓ）、上記第１読取情報消去処理がなされることなく、筐体１１を開封することができる。
【００８７】
これにより、光学的情報読取装置１０にて読み取られる情報を管理する管理会社等が、第１の判定用順序情報を解読可能な第１の復号鍵がメモリに記憶された解読装置２を用いて光学的情報読取装置１０の筐体１１を開封することで、第１読取情報および第２読取情報の双方を消去することなく筐体１１を開封することができる。
【００８８】
また、上記管理会社等から光学的情報読取装置１０の修理を委託された修理会社等では、第２の判定用順序情報を解読可能な第２の復号鍵がメモリに記憶された解読装置２を用いて光学的情報読取装置１０の筐体１１を開封しても、ステップＳ４０１にてＮｏと判定されて、上記消去処理がなされて第１読取情報が消去される。これにより、修理会社等であっても第１の復号鍵がメモリに記憶された解読装置２を用いなければ第１読取情報が消去されるので、比較的重要性の高い第１読取情報の不正使用を確実に防止することができる。
【００８９】
また、不正開封者では、そもそも解読装置２を有しないので、第１読取情報および第２読取情報の双方が消去されることなく筐体１１が不正開封されることを防止することができる。
【００９０】
なお、メモリ２３の読取情報は、その重要性によって第１読取情報および第２読取情報に区分けされることに限らず、例えば、情報漏洩防止の観点など、異なる観点から第１読取情報および第２読取情報に区分けされてもよい。
【００９１】
なお、本発明は上記各実施形態に限定されるものではなく、以下のように具体化してもよい。
（１）上述した消去処理では、メモリ２３に記憶された全ての読取情報を消去することに限らず、メモリ２３に記憶された一部の読取情報を消去してもよい。また、上記消去処理に代えて、メモリ２３に記憶された読取情報の少なくとも一部を外部から取得不能に制御する処理を実施するようにしてもよい。これにより、不正開封と判定された場合にはメモリ２３に記憶された読取情報の取得が不能となるので、メモリ２３の読取情報を消去する場合と同等の効果を得ることができる。
【００９２】
（２）ブザー２７に代えて、発光部や振動部を採用するとともに、上記ステップＳ１０３に示す報知処理において、発光部の発光や振動部の振動により、不正開封と判定された旨を開封者に報知してもよい。
【００９３】
（３）締結状態検知回路２５は、各導通部５１〜５６の抵抗値に基づいて各ねじ４１〜４６の締結状態を検知することに限らず、例えば、各ねじ４１〜４６が被締結部１３ａに締結されるときの締結力を検知可能な応力センサを被締結部１３ａに設けて、この応力センサからの出力信号に基づいて各ねじ４１〜４６の締結状態を検知してもよい。
【００９４】
（４）締結状態検知回路２５は、各導通部５１〜５６の抵抗値を検知し当該導通部５１〜５６の抵抗値が締結時抵抗値Ｒを超えると非締結状態検知信号を主制御回路２１に出力することに限らず、単なる各導通部５１〜５６の抵抗値を検知可能なセンサとして構成されてもよい。
【００９５】
（５）開封用情報コードＱは、光学的情報読取装置１０の背面に貼付されることで、解読装置２により読取可能に表示されることに限らず、例えば、他の位置に貼付されることで、解読装置２により読取可能に表示されてもよいし、表示部２４に表示されてもよい。
【００９６】
（６）開封用情報コードＱは、公開領域および非公開領域を有するＱＲコードにより構成されることに限らず、少なくとも一部の情報を暗号化し得る情報コードから構成されてもよい。
【符号の説明】
【００９７】
１…セキュリティシステム
２…解読装置
１０…光学的情報読取装置
１１…筐体
１２…裏側ケース（第１ケース）
１３…表側ケース（第２ケース）
２１…主制御回路（読取手段，判定手段，制御手段）
２２…受光センサ（読取手段）
２３…メモリ（記憶手段）
２４…表示部（報知手段）
２５…締結状態検知回路（検出手段）
２６…消去用制御回路（制御手段）
２７…ブザー（報知手段，警報手段）
４１〜４６…ねじ（締結部材）
５１〜５６…導通部（検出手段）
Ｎａ…報知回数
Ｎｂ…読取回数
Ｎｃ…開封回数
Ｎｋ…連続番号
Ｎｔ…規定回数（所定回数）
Ｑ…開封用情報コード
【図１】
2013109605.tif 000003
【図２】
2013109605.tif 000004
【図３】
2013109605.tif 000005
【図４】
2013109605.tif 000006
【図５】
2013109605.tif 000007
【図６】
2013109605.tif 000008
【図７】
2013109605.tif 000009
【図８】
2013109605.tif 000010
【図９】
2013109605.tif 000011
【図１０】
2013109605.tif 000012
【図１１】
2013109605.tif 000013
【図１２】
2013109605.tif 000014